(57)【要約】【課題】対象者に異常が発生したことを通報する場合に、誤報を減らす。【解決手段】第１の赤外線センサは、家に設けられたトイレ室内にいる対象者を検知する。サーバ装置の判定部は、対象者が家にいるか否かを判定する。サーバ装置の通報部は、判定部により対象者が家にいると判定されてから家にいないと判定されるまでの期間において、予め設定された第１の時間にわたって第１の赤外線センサにより対象者が検知されない場合には、対象者に異常が発生したことを予め決められた通報先に通報する。【選択図】図８
2014013557.tif 000002
【特許請求の範囲】
【請求項１】
対象者が予め定められた生活空間にいるか否かを判定する判定部と、
前記生活空間に設けられたトイレ室内にいる前記対象者を検知する第１の検知部と、
前記判定部により前記対象者が前記生活空間にいると判定されてから前記生活空間にいないと判定されるまでの期間において、予め設定された第１の時間にわたって前記第１の検知部により前記対象者が検知されない場合には、前記対象者に異常が発生したことを予め決められた通報先に通報する通報部と
を備えることを特徴とする通報装置。
【請求項２】
前記通報部は、さらに、予め設定された第２の時間継続して前記第１の検知部により前記対象者が検知された場合には、前記対象者に異常が発生したことを前記通報先に通報する
ことを特徴とする請求項１に記載の通報装置。
【請求項３】
前記通報部は、前記判定部により前記対象者が前記生活空間にいないと判定された後、予め設定された第３の時間にわたって当該判定部により前記対象者が前記生活空間にいると判定されない場合には、前記対象者に異常が発生したことを前記通報先に通報する
ことを特徴とする請求項１又は２に記載の通報装置。
【請求項４】
前記生活空間の出入口となるドアの開閉を検知する第２の検知部と、
前記生活空間内の前記ドアに通じる通路を通る対象者を検知する第３の検知部とを備え、
前記判定部は、前記第２の検知部により前記ドアの開閉が検知された後、前記第３の検知部により前記対象者が検知された場合には、前記対象者が前記生活空間にいると判定し、前記第３の検知部により前記対象者が検知された後、前記第２の検知部により前記ドアの開閉が検知された場合には、前記対象者が前記生活空間にいないと判定する
ことを特徴とする請求項１から３のいずれか１項に記載の通報装置。
【請求項５】
前記トイレ室内にいる前記対象者の体重を測定する測定部と、
前記測定部により測定された体重に基づいて、前記トイレ室内にいる前記対象者を識別する識別部とを備え、
前記通報部は、前記第１の検知部により前記対象者が検知され、そのときに前記識別部により或る対象者が識別された場合には、前記第１の時間が経過する前に前記第１の検知部により前記対象者が再び検知され、且つ、そのときに前記識別部により前記或る対象者が識別された場合を除いて、当該対象者に異常が発生したことを予め決められた通報先に通報する
ことを特徴とする請求項１から４のいずれか１項に記載の通報装置。
【請求項６】
コンピュータに、
対象者が予め定められた生活空間にいるか否かを判定するステップと、
前記対象者が前記生活空間にいると判定されてから前記生活空間にいないと判定されるまでの期間において、予め設定された第１の時間にわたって第１の検知部により前記生活空間に設けられたトイレ室内にいる前記対象者が検知されない場合には、前記対象者に異常が発生したことを予め決められた通報先に通報するステップと
を実行させるためのプログラム。
【発明の詳細な説明】
【技術分野】
【０００１】
本発明は、対象者に異常が発生したことを通報する技術に関する。
【背景技術】
【０００２】
トイレ装置の使用状況から、対象者の健康や安否を判断する技術が知られている。特許文献１には、トイレ装置に複数のセンサを設け、使用者が意識を失った場合等の異常事態を判断する技術が記載されている。特許文献２には、日毎に何回トイレを使用しているかを記録し、一日に一度もトイレが使用されていない場合には、家族端末に警告することが記載されている。
【先行技術文献】
【特許文献】
【０００３】
【特許文献１】特開２００２−０４２２７８号公報
【特許文献２】特開２００４−１６６９８５号公報
【発明の概要】
【発明が解決しようとする課題】
【０００４】
特許文献１及び２に記載された技術では、トイレ装置の使用状況のみに基づいて対象者に異常が発生したことを判断している。そのため、例えば対象者の外出により、トイレ装置が長時間使用されなかった場合にも、対象者に異常が発生したと誤って判断される恐れがある。その結果、例えば対象者に異常が発生したことを通報する場合に、誤報が増えてしまう。
本発明は、対象者に異常が発生したことを通報する場合に、誤報を減らすことを目的とする。
【課題を解決するための手段】
【０００５】
本発明は、対象者が予め定められた生活空間にいるか否かを判定する判定部と、前記生活空間に設けられたトイレ室内にいる前記対象者を検知する第１の検知部と、前記判定部により前記対象者が前記生活空間にいると判定されてから前記生活空間にいないと判定されるまでの期間において、予め設定された第１の時間にわたって前記第１の検知部により前記対象者が検知されない場合には、前記対象者に異常が発生したことを予め決められた通報先に通報する通報部とを備えることを特徴とする通報装置を提供する。
【０００６】
前記通報部は、さらに、予め設定された第２の時間継続して前記第１の検知部により前記対象者が検知された場合には、前記対象者に異常が発生したことを前記通報先に通報してもよい。
【０００７】
前記通報部は、前記判定部により前記対象者が前記生活空間にいないと判定された後、予め設定された第３の時間にわたって当該判定部により前記対象者が前記生活空間にいると判定されない場合には、前記対象者に異常が発生したことを前記通報先に通報してもよい。
【０００８】
前記通報装置は、前記生活空間の出入口となるドアの開閉を検知する第２の検知部と、前記生活空間内の前記ドアに通じる通路を通る対象者を検知する第３の検知部とを備え、前記判定部は、前記第２の検知部により前記ドアの開閉が検知された後、前記第３の検知部により前記対象者が検知された場合には、前記対象者が前記生活空間にいると判定し、前記第３の検知部により前記対象者が検知された後、前記第２の検知部により前記ドアの開閉が検知された場合には、前記対象者が前記生活空間にいないと判定してもよい。
【０００９】
前記通報装置は、前記トイレ室内にいる前記対象者の体重を測定する測定部と、前記測定部により測定された体重に基づいて、前記トイレ室内にいる前記対象者を識別する識別部とを備え、前記通報部は、前記第１の検知部により前記対象者が検知され、そのときに前記識別部により或る対象者が識別された場合には、前記第１の時間を経過する前に前記第１の検知部により前記対象者が再び検知され、且つ、そのときに前記識別部により前記或る対象者が識別された場合を除いて、当該対象者に異常が発生したことを予め決められた通報先に通報してもよい。
【００１０】
本発明は、コンピュータに、対象者が予め定められた生活空間にいるか否かを判定するステップと、前記対象者が前記生活空間にいると判定されてから前記生活空間にいないと判定されるまでの期間において、予め設定された第１の時間にわたって第１の検知部により前記生活空間に設けられたトイレ室内にいる前記対象者が検知されない場合には、前記対象者に異常が発生したことを予め決められた通報先に通報するステップとを実行させるためのプログラムを提供する。
【発明の効果】
【００１１】
本発明によれば、対象者に異常が発生したことを通報する場合に、誤報を減らすことができる。
【図面の簡単な説明】
【００１２】
【図１】実施形態に係る通報システムの構成を示す図
【図２】サーバ装置の構成を示す図
【図３】管理テーブルを示す図
【図４】通信端末の構成を示す図
【図５】通信端末及びトイレセンサ部を示す図
【図６】ドアセンサ部を示す図
【図７】通報システムの機能構成を示す図
【図８】トイレセンサ部及びドアセンサ部の検知動作の一例を示すタイミングチャート
【図９】トイレセンサ部及びドアセンサ部の検知動作の別の例を示すタイミングチャート
【図１０】トイレセンサ部及びドアセンサ部の検知動作の別の例を示すタイミングチャート
【図１１】変形例に係る通報システムの機能構成
【図１２】変形例に係るトイレセンサ部及びドアセンサ部の検知動作の例を示すタイミングチャート
【発明を実施するための形態】
【００１３】
図１は、本実施形態に係る通報システム１の構成を示す図である。この通報システム１は、サーバ装置１０と、携帯電話機２０と、通信端末３０と、トイレセンサ部４０と、ドアセンサ部５０とを備える。なお、図１では、１組の携帯電話機２０と通信端末３０だけが示されているが、携帯電話機２０と通信端末３０は複数組設けられていてもよい。サーバ装置１０、携帯電話機２０及び通信端末３０は、通信網２を介して接続されている。この通信網２には、移動体通信網とインターネットとが含まれる。通信端末３０、トイレセンサ部４０及びドアセンサ部５０は、対象者の家３（予め定められた生活空間の一例）に設けられる。この対象者は、例えば一人暮らしのお年寄りである。通信端末３０は、トイレセンサ部４０及びドアセンサ部５０と有線又は無線で接続されている。携帯電話機２０は、メール機能を有する。携帯電話機２０は、例えば対象者の家族により使用され、対象者に異常が発生したときに通報を受け付ける。
【００１４】
図２は、サーバ装置１０の構成を示す図である。サーバ装置１０は、ＣＰＵ（Central Processing Unit）１１と、ＲＯＭ（Read Only Memory）１２と、ＲＡＭ（Random Access Memory）１３と、通信部１４と、記憶部１５と、第１のタイマー１６と、第２のタイマー１７と、第３のタイマー１８とを備える。ＣＰＵ１１は、プログラムを実行することにより、サーバ装置１０の各部を制御する。ＲＯＭ１２は、ＣＰＵ１１により実行される基本的なシステムプログラムを記憶した読み出し専用メモリである。ＲＡＭ１３は、ＣＰＵ１１によりワークエリアとして使用される揮発性メモリである。通信部１４は、通信網２を介して接続された装置との間のデータ通信を制御する。記憶部１５は、例えばハードディスクである。記憶部１５には、管理テーブル１９が記憶される。第１のタイマー１６、第２のタイマー１７及び第３のタイマー１８は、ＣＰＵ１１の制御の下、時間を計測する。
【００１５】
図３は、管理テーブル１９を示す図である。管理テーブル１９には、予め電話番号と通報先のメールアドレスとが対応付けて格納されている。電話番号は、対象者の家３に設けられた通信端末３０の電話番号である。この電話番号は、対象者を識別するために用いられる。通報先のメールアドレスは、通報を受ける携帯電話機２０のメールアドレスである。例えば、対象者の家３に設けられた通信端末３０の電話番号が「０９０−ｘｘｘｘ−ｘｘｘｘ」であり、通報を受ける携帯電話機２０のメールアドレスが「ａａａ＠ｅｘａｍｐｌｅ．ｎｅ．ｊｐ」である場合、管理テーブル１９には、電話番号「０９０−ｘｘｘｘ−ｘｘｘｘ」と、通報先のメールアドレス「ａａａ＠ｅｘａｍｐｌｅ．ｎｅ．ｊｐ」とが対応付けて格納される。
【００１６】
図４は、通信端末３０の構成を示す図である。通信端末３０は、ＣＰＵ３１と、ＲＯＭ３２と、ＲＡＭ３３と、通信部３４と、記憶部３５とを備える。ＣＰＵ３１は、プログラムを実行することにより、通信端末３０の各部を制御する。ＲＯＭ３２は、ＣＰＵ３１により実行される基本的なシステムプログラムを記憶した読み出し専用メモリである。ＲＡＭ３３は、ＣＰＵ３１によりワークエリアとして使用される揮発性メモリである。通信部３４は、通信網２を介して接続された装置との間のデータ通信を制御する。記憶部３５は、例えばフラッシュメモリである。
【００１７】
図５は、通信端末３０及びトイレセンサ部４０を示す図である。家３のトイレ室には、トイレ装置４が設けられている。通信端末３０及びトイレセンサ部４０は、このトイレ装置４に設けられる。より具体的には、通信端末３０は、トイレ装置４のタンク４ａの側面に設けられる。トイレセンサ部４０は、第１の赤外線センサ４１（第１の検知部の一例）を備える。第１の赤外線センサ４１は、タンク４ａの前面に設けられる。第１の赤外線センサ４１は、赤外線の反射により、トイレ装置４を使用する対象者を検知する。なお、対象者がトイレ装置４を使用している間は、対象者がトイレ室内にいることになる。具体的には、第１の赤外線センサ４１は、赤外線を発射する投光部４１ａと、検知対象により反射された赤外線を受光する受光部４１ｂとを有する。対象者がトイレ装置４に座り、又はトイレ装置４の前に立つと、投光部４１ａから発射された赤外線は、対象者により反射されて受光部４１ｂで受光される。第１の赤外線センサ４１は、受光部４１ｂで受光される光量の変化により、トイレ装置４を使用する対象者を検知して、第１の信号を出力する。
【００１８】
図６は、ドアセンサ部５０を示す図である。ドアセンサ部５０は、ドアスイッチ５１（第２の検知部の一例）と、第２の赤外線センサ５２（第３の検知部の一例）とを備える。ドアスイッチ５１は、家３の出入口となる玄関のドア５の開閉を検知する。具体的には、ドアスイッチ５１は、ドア５が閉められると、オンになり、第２の信号を出力する。第２の赤外線センサ５２は、対象者から放射される赤外線により、家３の中のドア５に通じる通路６を通る対象者を検知する。具体的には、第２の赤外線センサ５２は、対象者が通路６を通ると、対象者から放射される赤外線を受光する。第２の赤外線センサ５２は、受光した赤外線による温度変化に基づき、通路６を通る対象者を検知して、第３の信号を出力する。
【００１９】
図７は、通報システム１の機能構成を示す図である。通信端末３０は、第１の送信部６１及び第２の送信部６２として機能する。これらの機能は、ＣＰＵ３１がプログラムを実行することにより実現される。第１の送信部６１は、第１の赤外線センサ４１から第１の信号を受け付けると、通信部３４を制御して、第１の赤外線センサ４１の検知開始を示す情報と通信端末３０の電話番号とをサーバ装置１０に送信する。この第１の赤外線センサ４１の検知開始を示す情報には、第１の赤外線センサ４１が対象者の検知を開始した時刻が含まれる。また、第１の送信部６１は、第１の赤外線センサ４１から第１の信号が出力されなくなると、通信部３４を制御して、第１の赤外線センサ４１の検知終了を示す情報と通信端末３０の電話番号とをサーバ装置１０に送信する。この第１の赤外線センサ４１の検知終了を示す情報には、第１の赤外線センサ４１が対象者の検知を終了した時刻が含まれる。
【００２０】
第２の送信部６２は、ドアスイッチ５１から第２の信号を受け付けると、通信部３４を制御して、ドアスイッチ５１の検知結果を示す情報と通信端末３０の電話番号とをサーバ装置１０に送信する。このドアスイッチ５１の検知結果を示す情報には、ドアスイッチ５１がドア５の開閉を検知した時刻が含まれる。なお、ドア５の開閉を検知した時刻は、ドアスイッチ５１がドア５の開きを検知した時刻であってもよいし、ドア５の閉じを検知した時刻であってもよい。また、第２の送信部６２は、第２の赤外線センサ５２から第３の信号を受け付けると、通信部３４を制御して、第２の赤外線センサ５２の検知結果を示す情報と通信端末３０の電話番号とをサーバ装置１０に送信する。この第２の赤外線センサ５２の検知結果を示す情報には、第２の赤外線センサ５２が通路６を通過する対象者を検知した時刻が含まれる。なお、通路６を通過する対象者を検知した時刻は、第２の赤外線センサ５２が対象者の検知を開始した時刻であってもよいし、対象者の検知を終了した時刻であってもよい。
【００２１】
サーバ装置１０は、判定部７１と、第１の異常検出部７２と、第２の異常検出部７３と、第３の異常検出部７４と、通報部７５として機能する。これらの機能は、ＣＰＵ１１がプログラムを実行することにより実現される。判定部７１は、通信端末３０からドアスイッチ５１の検知結果を示す情報及び第２の赤外線センサ５２の検知結果を示す情報を受信すると、これらの情報に基づき、対象者が家３にいるか否かを判定する。具体的には、判定部７１は、ドアスイッチ５１によりドア５の開閉が検知された後に、第２の赤外線センサ５２により通路６を通過する対象者が検知された場合には、対象者は家３にいると判定する。これは、ドア５が開閉された後に、対象者が通路６を通過した場合には、対象者が外からドア５を開けて家３の中に入り、通路６を図６に示す矢印Ａ方向に移動したことを意味するからである。この場合、判定部７１は、動作モードを在宅モードに変更する。一方、判定部７１は、第２の赤外線センサ５２により通路６を通過する対象者が検知された後に、ドアスイッチ５１によりドア５の開閉が検知された場合には、対象者は外出して家３にいないと判定する。これは、対象者が通路６を通過した後に、ドア５が開閉された場合には、対象者が通路６を矢印Ａ方向と逆方向に移動し、家３の中からドア５を開けて外へ出たことを意味するからである。この場合、判定部７１は、動作モードを外出モードに変更する。
【００２２】
第１の異常検出部７２は、通信端末３０から受信した情報を分析して、トイレ装置４の使用間隔に関する異常を検出する。具体的には、第１の異常検出部７２は、判定部７１により動作モードが在宅モードに変更されると、第１のタイマー１６を開始して、予め設定された第１の時間Ｔ１を計測する。第１の赤外線センサ４１によりトイレ装置４を使用する対象者が検知されると、第１の異常検出部７２は、第１のタイマー１６をリセットし、第１の赤外線センサ４１により対象者の検知が終了した時刻から再び第１の時間Ｔ１の計測を開始する。また、第１の異常検出部７２は、判定部７１により動作モードが外出モードに変更されると、第１のタイマー１６をリセットする。第１のタイマー１６により第１の時間Ｔ１が計測されると、第１の異常検出部７２は、対象者に異常が発生したと判断する。つまり、第１の異常検出部７２は、判定部７１により対象者が家３にいると判定されてから家３にいないと判定されるまでの期間において、予め設定された第１の時間Ｔ１にわたって第１の赤外線センサ４１により対象者が検知されない場合には、対象者に異常が発生したと判断する。この第１の時間Ｔ１は、例えば対象者がその時間以上トイレ装置４を使用しないのは正常ではないと考えられる時間（例えば、１２時間）に設定される。
【００２３】
第２の異常検出部７３は、通信端末３０から受信した情報を分析して、トイレ装置４の使用時間に関する異常を検出する。具体的には、第２の異常検出部７３は、第１の赤外線センサ４１によりトイレ装置４を使用する対象者が検知されると、第２のタイマー１７を開始して、予め設定された第２の時間Ｔ２を計測する。第１の赤外線センサ４１により対象者が検知されなくなると、第２の異常検出部７３は、第２のタイマー１７をリセットする。第２のタイマー１７により第２の時間Ｔ２が計測されると、第２の異常検出部７３は、対象者に異常が発生したと判断する。つまり、第２の異常検出部７３は、予め設定された第２の時間Ｔ２継続して第１の赤外線センサ４１により対象者が検知された場合には、対象者に異常が発生したと判断する。この第２の時間Ｔ２は、例えば対象者がその時間以上トイレ室にいるのは正常ではないと考えられる時間（例えば、１時間）に設定される。
【００２４】
第３の異常検出部７４は、通信端末３０から受信した情報を分析して、対象者の外出時間に関する異常を検出する。具体的には、第３の異常検出部７４は、判定部７１により動作モードが外出モードに変更されると、第３のタイマー１８を開始して、予め設定された第３の時間Ｔ３を計測する。判定部７１により動作モードが外出モードから在宅モードに変更されると、第３の異常検出部７４は、第３のタイマー１８をリセットする。第３のタイマー１８により第３の時間Ｔ３が計測されると、第３の異常検出部７４は、対象者に異常が発生したと判断する。つまり、第３の異常検出部７４は、判定部７１により対象者が家３にいないと判定された後、予め設定された第３の時間Ｔ３にわたって判定部７１により対象者が家３にいると判定されない場合には、対象者に異常が発生したと判断する。この第３の時間Ｔ３は、例えば対象者がその時間外出しているのは正常ではないと考えられる時間（例えば、６時間）に設定される。
【００２５】
通報部７５は、第１の異常検出部７２、第２の異常検出部７３又は第３の異常検出部７４により対象者に異常が発生したと判断されたときに、対象者に異常が発生したことを予め決められた通報先に通報する。具体的には、通報部７５は、記憶部１５に記憶された管理テーブル１９において、通信端末３０から受信した電話番号と対応付けて格納された通報先のメールアドレスを特定する。例えば、通信端末３０から電話番号「０９０−ｘｘｘｘ−ｘｘｘｘ」を受信した場合、図３に示す管理テーブル１９において、この電話番号と対応付けて格納された通報先のメールアドレス「ａａａ＠ｅｘａｍｐｌｅ．ｎｅ．ｊｐ」が特定される。通報部７５は、対象者に異常が発生したことを示す電子メールを作成し、この電子メールを特定した通報先のメールアドレス宛てに送信する。
【００２６】
図８は、トイレセンサ部４０及びドアセンサ部５０の検知動作の一例を示すタイミングチャートである。なお、ここでは、第２の異常検出部７３及び第２のタイマー１７の動作の説明は省略する。図８では、時刻ｔ１にドアスイッチ５１がドア５の開閉を検知している。また、時刻ｔ２に、第２の赤外線センサ５２が通路６を通る対象者を検知している。この場合、判定部７１は、対象者が家３にいると判定し、動作モードを在宅モードに変更する。判定部７１により動作モードが在宅モードに変更されると、第１の異常検出部７２は、第１のタイマー１６を開始させ、第１の時間Ｔ１を計測させる。図８では、第１のタイマー１６が第１の時間Ｔ１を計測する前の時刻ｔ３に、第１の赤外線センサ４１がトイレ装置４を使用する対象者を検知している。この場合、第１の異常検出部７２は、第１のタイマー１６をリセットし、第１の赤外線センサ４１が対象者の検知を終了した時刻ｔ４から再び第１の時間Ｔ１の計測を開始する。図８では、時刻ｔ４の後、第１の赤外線センサ４１により対象者が検知されることなく、時刻ｔ５に第１のタイマー１６により第１の時間Ｔ１が計測される。第１のタイマー１６により第１の時間Ｔ１が計測されると、第１の異常検出部７２は、対象者に異常が発生したと判断する。
【００２７】
第１の異常検出部７２により対象者に異常が発生したと判断されると、通報部７５は、対象者が第１の時間Ｔ１以上トイレ装置４を使用していないことを示す電子メールを作成する。通報部７５は、上述した方法で通報先のメールアドレスを特定する。通報部７５は、通信部１４を制御して、特定したメールアドレス宛てに作成した電子メールを送信する。これにより、サーバ装置１０から携帯電話機２０に電子メールが送信される。携帯電話機２０は、サーバ装置１０から電子メールを受信すると、携帯電話機２０のユーザの操作に応じて受信した電子メールを表示する。携帯電話機２０のユーザは、この電子メールを見ることにより、対象者が第１の時間Ｔ１以上トイレ装置４を使用していないことを知ることができる。
【００２８】
図９は、トイレセンサ部４０及びドアセンサ部５０の検知動作の別の例を示すタイミングチャートである。なお、ここでは、第１の異常検出部７２及び第１のタイマー１６の動作の説明は省略する。また、ドアスイッチ５１及び第２の赤外線センサ５２の検知動作は、上述した図８の例と同様であるため、その説明を省略する。図９では、時刻ｔ３に、第１の赤外線センサ４１がトイレ装置４を使用する対象者を検知している。この場合、第２の異常検出部７３は、第２のタイマー１７を開始させ、第２の時間Ｔ２を計測させる。図９では、時刻ｔ３の後、第１の赤外線センサ４１により対象者の検知が継続されたまま、時刻ｔ６に第２のタイマー１７により第２の時間Ｔ２が計測される。第２のタイマー１７により第２の時間Ｔ２が計測されると、第２の異常検出部７３は、対象者に異常が発生したと判断する。
【００２９】
第２の異常検出部７３により対象者に異常が発生したと判断されると、通報部７５は、対象者が第２の時間Ｔ２以上トイレ室にいることを示す電子メールを作成する。通報部７５は、上述した方法で通報先のメールアドレスを特定する。通報部７５は、通信部１４を制御して、特定したメールアドレス宛てに作成した電子メールを送信する。これにより、サーバ装置１０から携帯電話機２０に電子メールが送信される。携帯電話機２０は、サーバ装置１０から電子メールを受信すると、携帯電話機２０のユーザの操作に応じて受信した電子メールを表示する。携帯電話機２０のユーザは、この電子メールを見ることにより、対象者が第２の時間Ｔ２以上トイレ室にいることを知ることができる。
【００３０】
図１０は、トイレセンサ部４０及びドアセンサ部５０の検知動作の別の例を示すタイミングチャートである。図１０では、時刻ｔ１０に、第２の赤外線センサ５２が通路６を通る対象者を検知している。また、時刻ｔ１１に、ドアスイッチ５１がドア５の開閉を検知している。この場合、判定部７１は、対象者は外出して家３にいないと判定し、動作モードを外出モードに変更する。判定部７１により動作モードが外出モードに変更されると、第３の異常検出部７４は、第３のタイマー１８を開始させ、第３の時間Ｔ３を計測させる。図１０では、時刻ｔ１１の後、判定部７１により対象者が家３にいると判定されることなく、時刻ｔ１２に第３のタイマー１８により第３の時間Ｔ３が計測される。第３のタイマー１８により第３の時間Ｔ３が計測されると、第３の異常検出部７４は、対象者に異常が発生したと判断する。
【００３１】
第３の異常判定部７４により対象者に異常が発生したと判断されると、通報部７５は、対象者が第３の時間Ｔ３以上外出していることを示す電子メールを作成する。通報部７５は、上述した方法で通報先のメールアドレスを特定する。通報部７５は、通信部１４を制御して、特定したメールアドレス宛てに作成した電子メールを送信する。これにより、サーバ装置１０から携帯電話機２０に電子メールが送信される。携帯電話機２０は、サーバ装置１０から電子メールを受信すると、携帯電話機２０のユーザの操作に応じて受信した電子メールを表示する。携帯電話機２０のユーザは、この電子メールを見ることにより、対象者が第３の時間Ｔ３以上外出していることを知ることができる。
【００３２】
本実施形態では、サーバ装置１０、通信端末３０、トイレセンサ部４０及びドアセンサ部５０が協働して、通報装置として機能する。第１の異常検出部７２は、対象者が家３にいる期間において、トイレ装置４の使用間隔に関する異常の検出を行っている。対象者が外出している場合には、第１の異常検出部７２は、トイレ装置４の使用間隔に関する異常の検出を行わない。これにより、トイレ装置４の使用間隔に関する異常を検出する精度を向上させることができる。その結果、対象者に異常が発生したことを通報する場合に、誤報を減らすことができる。
【００３３】
また、本実施形態では、第１の時間Ｔ１にわたって第１の赤外線センサ４１により対象者が検知されない場合には、対象者に異常が発生したことが予め決められた通報先に通報される。これにより、例えば対象者が家３のトイレ室以外の場所で倒れた場合に、対象者に異常が発生したことをすぐに家族に知らせることができる。また、本実施形態では、第２の時間Ｔ２継続して第１の赤外線センサ４１により対象者が検知された場合には、対象者に異常が発生したことが予め決められた通報先に通報される。これにより、例えば対象者がトイレ室の中で具合が悪くなり、トイレ室から出られなくなった場合に、対象者に異常が発生したことをすぐに家族に知らせることができる。また、本実施形態では、判定部７１により対象者が家３にいないと判定された後、第３の時間Ｔ３にわたって判定部７１により対象者が家３にいると判定されない場合には、対象者に異常が発生したことが予め決められた通報先に通報される。これにより、例えば対象者が外出先で倒れて帰宅できなくなった場合に、対象者に異常が発生したことをすぐに家族に知らせることができる。
【００３４】
本発明は、上述した実施形態に限定されない。実施形態を以下のように変形してもよい。また、以下の変形例を組み合わせてもよい。
【００３５】
（１）変形例１
判定部７１は、ドアセンサ部５０以外の手段を用いて、対象者が家３にいるか否かを判定してもよい。例えば、判定部７１は、第３の赤外線センサを用いて、対象者が家３にいるか否かを判定してもよい。この第３の赤外線センサは、家３の部屋の中に設けられ、対象者から放射される赤外線を受光する。第３の赤外線センサは、受光した赤外線による温度変化に基づき、部屋の中にいる対象者を検知する。判定部７１は、第３の赤外線センサにより対象者が検知されると、対象者が家３にいると判定する。
【００３６】
また、判定部７１は、テレビのオン操作又はオフ操作を検知するセンサを用いて、対象者が家３にいるか否かを判定してもよい。このセンサは、例えばテレビのリモコン装置に設けられ、テレビのオン操作又はオフ操作を検知する。判定部７１は、センサによりオン操作が検知されると、対象者が家３にいると判定する。これは、一人暮らしの老人は、家３にいる間テレビをつけていることが多いため、テレビをつけている間は、対象者が家３にいるとみなすことができるからである。
【００３７】
（２）変形例２
家３の中に複数の対象者がいる場合には、対象者毎にトイレ装置４を使用する時間間隔に関する異常を検出してもよい。図１１は、この変形例に係る通報システム１Ａの機能構成を示す図である。この通報システム１Ａでは、トイレセンサ部４０は、第１の赤外線センサ４１の他に荷重センサ４２（測定部の一例）を備える。この荷重センサ４２は、トイレ装置４を使用する対象者の体重を測定する。具体的には、荷重センサ４２は、トイレ室の床に敷かれたフロアマットに設けられる。荷重センサ４２は、フロアマットの上に対象者が立つと、この対象者の体重を測定し、測定した体重を示す第４の信号を出力する。通信端末３０は、上述した第１の送信部６１及び第２の送信部６２に加え、第３の送信部６３として機能する。第３の送信部６３は、荷重センサ４２から第４の信号を受け付けると、通信部３４を制御して、荷重センサ４２の測定結果を示す情報をサーバ装置１０に送信する。
【００３８】
サーバ装置１０は、上述した判定部７１、第１の異常検出部７２、第２の異常検出部７３、第３の異常検出部７４及び通報部７５の他に、識別部７６として機能する。識別部７６は、通信端末３０から荷重センサ４２の測定結果を示す情報を受信すると、この情報に基づき、対象者を識別する。具体的には、記憶部１５には、予め複数の対象者の識別情報と体重とが対応付けて記憶されている。識別部７６は、荷重センサ４２により測定された体重が、記憶部１５に記憶された体重を含む所定の範囲内に含まれる場合には、この体重と対応付けて記憶された識別情報により対象者を識別する。このように対象者を識別することにより、対象者の体重が所定の範囲内で変動しても、同一の対象者として識別することができる。
【００３９】
図１２は、この変形例に係るトイレセンサ部４０及びドアセンサ部５０の検知動作の例を示すタイミングチャートである。なお、ここでは、図８と同じ動作についてはその説明を省略する。図１２では、時刻ｔ３に第１の赤外線センサ４１がトイレ装置４を使用する対象者を検知している。識別部７６は、このとき荷重センサ４２により測定された体重に基づいて、トイレ装置４を使用する対象者を識別する。図１２では、第１のタイマー１６により第１の時間Ｔ１が計測される前の時刻ｔ７に、第１の赤外線センサ４１がトイレ装置４を使用する対象者を再び検知している。識別部７６は、このとき荷重センサ４２により測定された体重に基づいて、トイレ装置４を使用する対象者を識別する。第１の異常検知部７２は、時刻ｔ３に第１の赤外線センサ４１により対象者が検知されたときに、識別部７６により識別された対象者と、時刻ｔ７に第１の赤外線センサ４１により対象者が検知されたときに、識別部７６により識別された対象者とが同一であるか否かを判断する。両者が同一である場合、第１の異常検知部７２は、第１のタイマー１６をリセットする。一方、両者が異なる場合、第１の異常検知部７２は、図１２に示すように、第１のタイマー１６をリセットせずに、第１の時間Ｔ１の計測を継続する。第１のタイマー１６により第１の時間Ｔ１が計測されると、第１の異常検出部７２は、対象者に異常が発生したと判断する。つまり、第１の異常検知部７２は、第１の赤外線センサ４１により対象者が検知され、そのときに識別部７６により或る対象者が識別された場合には、第１の時間Ｔ１を経過する前に第１の赤外線センサ４１により対象者が再び検知され、且つ、そのときに識別部７６により或る対象者が識別された場合を除いて、この対象者に異常が発生したと判断する。この場合、通報部７５は、識別部７６により識別された或る対象者が、第１の時間Ｔ１以上トイレ装置４を使用していないことを示す電子メールを作成してもよい。
【００４０】
（３）変形例３
トイレ装置４を使用する対象者を検知する手段は、第１の赤外線センサ４１に限定されない。例えば、トイレ装置４の便座に加えられる圧力により、トイレ装置４を使用する対象者を検知してもよい。この場合、トイレ装置４の便座には、圧力センサが設けられる。圧力センサは、トイレ装置４の便座に所定の圧力が加えられると、オンになり、第１の信号を出力する。
【００４１】
また、上述した実施形態では、トイレ装置４を使用する対象者を検知していたが、これに代えて、トイレ室を使用する対象者を検知してもよい。この場合、例えばトイレ室のドアに施錠センサが設けられる。施錠センサは、トイレ室のドアがロックされたことを検知し、第１の信号を出力する。トイレ室のドアがロックされている間は、トイレ室内に対象者がいることになる。
【００４２】
（４）変形例４
通信端末３０が設けられる位置は、トイレ装置４のタンク４ａの側面に限定されない。例えば、通信端末３０は、トイレ室の壁面に設けられてもよい。
【００４３】
（５）変形例５
対象者に異常が発生した場合、サーバ装置１０は、複数の通報先に通報してもよい。この場合、管理テーブル１９には、１個の電話番号に対して、複数の通報先のメールアドレスが格納される。通報部７５は、管理テーブル１９において、通信端末３０から受信した電話番号に対応付けて格納された複数の通報先のメールアドレスを特定し、特定した複数の通報先のメールアドレス宛てに電子メールを送信する。
【００４４】
また、対象者に異常が発生したことを通報する手段は、電子メールの送信に限定されない。例えば、通報部７５は、携帯電話機２０に発呼することにより、対象者に異常が発生したことを通報してもよい。この場合、通報部７５は、予め録音された音声メッセージを流してもよい。
【００４５】
（６）変形例６
第３の異常検出部７４は、予め設定された時刻（例えば、夜の１０時）になっても、判定部７１により動作モードが在宅モードに変更されない場合には、対象者に異常が発生したと判断してもよい。
また、対象者の外出時間に関する異常を検出する必要がない場合には、第３の異常検出部７４は設けられなくてもよい。
【００４６】
（７）変形例７
通信端末３０は、サーバ装置１０の機能の一部又は全てを有していてもよい。例えば、通信端末３０は、判定部７１、第１の異常検出部７２、第２の異常検出部７３及び第３の異常検出部７４を有していてもよい。この場合、通信端末３０は、第１の異常検出部７２、第２の異常検出部７３又は第３の異常検出部７４により対象者に異常が発生したと判断された場合には、その旨を示す情報をサーバ装置１０に送信する。
【００４７】
（８）変形例８
第１のタイマー１６、第２のタイマー１７及び第３のタイマー１８は、ＣＰＵ１１に内蔵されたハードウェアタイマーであってもよいし、ＣＰＵ１１がプログラムを実行することにより実現されるソフトウェアタイマーであってもよい。また、第１のタイマー１６、第２のタイマー１７及び第３のタイマー１８は、１個のタイマーで兼用されてもよい。
【００４８】
（９）変形例９
通報を受け付ける装置は、携帯電話機２０に限定されない。例えば、ノートパソコンやタブレットＰＣ（Personal Computer）等の装置が通報を受け付けてもよい。この場合、管理テーブル１９には、これらの装置の通信アドレスが格納される。
【００４９】
（１０）変形例１０
判定部７１は、対象者が予め定められた生活空間にいるか否かを判定してもよい。この生活空間とは、対象者が主に生活をする場所をいう。生活空間は、上述した家３に限定されず、二世帯住宅内の１フロアや老人ホームの個室であってもよい。なお、実施形態で説明した家３は、一戸建てであってもよいし、集合住宅であってもよい。
【００５０】
（１１）変形例１１
サーバ装置１０のＣＰＵ１１又は通信端末３０のＣＰＵ３１において実行されるプログラムは、磁気テープ、磁気ディスク、フレキシブルディスク、光ディスク、光磁気ディスク、メモリなどの記録媒体に記録した状態で提供され、サーバ装置１０又は通信端末３０にインストールされてもよい。また、このプログラムは、インターネット等の通信回線を介してサーバ装置１０又は通信端末３０にダウンロードされてもよい。
【００５１】
（１２）変形例１２
上述した実施形態では、トイレ室内にいる対象者を直接検知していたが、トイレ室内にいる対象者を間接的に検知してもよい。例えば、トイレ室の電気がオンの間は、トイレ室内に対象者がいるとみなすことができる。そこで、トイレ室の電気がオン又はオフになったことを検知するセンサにより、トイレ室内にいる対象者を検知してもよい。
また、トイレ装置４の水が流れた場合には、トイレ室内に対象者がいるとみなすことができる。そこで、トイレ装置４の水が流れたことを検知するセンサにより、トイレ室内にいる対象者を検知してもよい。このセンサは、トイレ装置４の水を流すレバーの位置を検知する変位センサであってもよいし、流水音を検知する音センサであってもよいし、トイレ装置４のタンク４ａ内に設けられた水位センサであってもよい。
また、トイレ室のドアが開閉された場合には、トイレ室内に対象者がいるとみなすことができる。そこで、トイレ室のドアが開閉されたことを検知するドアセンサにより、トイレ室内にいる対象者を検知してもよい。
【００５２】
（１３）変形例１３
上述した実施形態では、赤外線によりトイレ室内にいる対象者を検知していたが、これ以外の物理量や化学量、例えば赤外線以外の光、静電容量、温度、音又は重量によりトイレ室内にいる対象者を検知してもよい。例えば重量によりトイレ室内にいる対象者を検知する場合には、上述した変形例２のように、トイレ室の床に敷かれたフロアマットの荷重センサを設け、この荷重センサによりトイレ室内にいる対象者を検知してもよい。また、トイレ室内にいる対象者を検知するセンサが設けられる場所は、トイレ装置４に限らず、トイレ室の壁面、トイレ室内の器具、照明等、トイレ室のいずれの場所であってもよい。
【００５３】
（１４）変形例１４
対象者が生活空間にいるか否かを判定する方法は、上述した実施形態及び変形例１で説明した例に限定されない。例えば、ドア５の内側のノブと外側のノブにタッチセンサを設け、このタッチセンサにより人がドア５の内側のノブに触れたことが検知された場合には、対象者は外出して家３にいないと判定され、このタッチセンサにより人がドア５の外側のノブに触れたことが検知された場合には、対象者が帰宅して家３にいると判定されてもよい。
また、部屋の中に受信機を設置し、対象者の体に送信機を付け、受信機により受信機と送信機との間の距離が閾値より大きくなったことが検知された場合には、対象者は外出して家３にいないと判定され、受信機と送信機との間の距離が閾値以下になったことが検知された場合には、対象者が帰宅して家３にいると判定されてもよい。受信機は、例えば送信機から信号を受信できなくなったことにより、受信機と送信機との間の距離が閾値より大きくなったことを検知する。また、受信機は、送信機から信号を受信することにより、受信機と送信機との間の距離が閾値以下であることを検知する。
また、上述した実施形態では、赤外線により生活空間内にいる対象者を検知していたが、これ以外の物理量や化学量、例えば赤外線以外の光、静電容量、温度、音又は重量により生活空間内にいる対象者を検知してもよい。また、生活空間内にいる対象者を検知するセンサが設けられる場所は、ドア５に限らず、部屋、床、柱、室内にある家電、照明等、生活空間のいずれの場所であってもよい。
【符号の説明】
【００５４】
１、１Ａ…通報システム、１０…サーバ装置、２０…携帯電話機、３０…通信端末、４０…トイレセンサ部、４１…第１の赤外線センサ、４２…荷重センサ、５０…ドアセンサ部、５１…ドアスイッチ、５２…第２の赤外線センサ、７１…判定部、７２…第１の異常検出部、７３…第２の異常検出部、７４…第３の異常検出部、７５…通報部、７６…識別部
【図１】
2014013557.tif 000003
【図２】
2014013557.tif 000004
【図３】
2014013557.tif 000005
【図４】
2014013557.tif 000006
【図５】
2014013557.tif 000007
【図６】
2014013557.tif 000008
【図７】
2014013557.tif 000009
【図８】
2014013557.tif 000010
【図９】
2014013557.tif 000011
【図１０】
2014013557.tif 000012
【図１１】
2014013557.tif 000013
【図１２】
2014013557.tif 000014